(57)【特許請求の範囲】
【請求項１】
建造物接続体（１）において、
ａ．略垂直な壁スタッド（２）であって、
ｉ．開口部（８）を有する中央ウェブ（３）と、
ｉｉ．前記中央ウェブ（３）に対して一体的に取り付けられる第１側部フランジ（９）と、
ｉｉｉ．前記中央ウェブ（３）に対して一体的に取り付けられる第２側部フランジ（９）と、を有する壁スタッド（２）と、
ｂ．前記中央ウェブ（３）の前記開口部（８）を通して挿入された略水平なブリッジ部材（１１）であって、
ｉ．第１境界（１３）と、第２境界（１３）と、内面（１５）と、外面（１６）と、を有する、少なくとも部分的に平面状の中間ウェブ（１２）と、
ｉｉ．前記第１境界（１３）において、前記中間ウェブ（１２）に対して角度をなして連結され、前記中間ウェブ（１２）から延びる、少なくとも部分的に平面状の第１境界フランジ（１７）であって、内面（７１）と外面（７２）とを有する第１境界フランジ（１７）と、
ｉｉｉ．前記第２境界（１３）において、前記中間ウェブ（１２）に対して角度をなして連結され、前記中間ウェブ（１２）から延びる、少なくとも部分的に平面状の第２境界フランジ（１７）であって、前記第１境界フランジ（１７）の内面（７１）に対向する内面（７１）と、前記第１境界フランジ（１７）の外面（７２）と反対に向く外面（７２）と、を有する第２境界フランジ（１７）と、を備え、
ｉｖ．前記ブリッジ部材（１１）の第１及び第２境界フランジ（１７）は、それぞれ、互いに平行な第１及び第２外側縁部（７５）を有する、ブリッジ部材（１１）と、
ｃ．前記壁スタッド（２）の中央ウェブ（３）に当接し、前記ブリッジ部材（１１）に対して締結されるブリッジコネクタ（１９）であって、
ｉ．第１内側縁部（２３）と第１外側縁部（１０１）とを有する第１本体部（２０）であって、前記第１本体部（２０）の剛性中央部（１１１）は、前記水平ブリッジ部材（１１）における前記第１境界フランジ（１７）の内面（７１）及び前記第２境界フランジ（１７）の内面（７１）の略平面状の部分に合わせて寸法決めされることにより、前記第１本体部（２０）は、少なくとも２点において前記第１及び第２境界フランジ（１７）の一方の内面（７１）と当接し、少なくとも１点において前記第１及び第２境界フランジ（１７）の他方の内面（７１）と当接する、第１本体部（２０）と、
ｉｉ．第１内面（２１）及び前記第１内面（２１）の反対側の第１外面（２２）であって、前記第１内面（２１）及び前記第１外面（２２）の一方が前記ブリッジ部材（１１）に対向する、第１内面（２１）及び第１外面（２２）と、を備えるブリッジコネクタ（１９）と、を備え、
ｄ．前記第１本体部（２０）の中央部（１１１）は、
ｉ．第１境界（１１３）と、第２境界（１１３）と、内面（１１５）と、外面（１１６）と、を有する中央ウェブ部（１１２）と、
ｉｉ．前記第１境界（１１３）に連結され、内面（１１８）と外面（１１９）とを有する、略平面状の第１の境界延伸部（１１７）と、
ｉｉｉ．前記第２境界（１１３）に連結され、内面（１１８）と外面（１１９）とを有する、略平面状の第２の境界延伸部（１１７）と、を含み
ここで、前記第１本体部（２０）の前記中央ウェブ部（１１２）は、前記略平面状の第１の境界延伸部（１１７）及び略平面状の第２の境界延伸部（１１７）に対して角度をなし、前記略平面状の第１の境界延伸部（１１７）は、前記第１境界（１１３）から第１連結点（１２３）に延び、前記略平面状の第２の境界延伸部（１１７）は、前記第２境界（１１３）から第２連結点（１２３）に延び、前記第１本体部（２０）は、第１側部延伸部（１２４）を含み、前記第１側部延伸部（１２４）は、前記第１連結点（１２３）に連結され、前記ブリッジ部材（１１）の第１境界フランジ（１７）を超えて前記ブリッジコネクタ（１９）の第１本体部（２０）の第１側部境界（３３）まで延び、前記第１本体部（２０）は、第２側部延伸部（１２４）を含み、前記第２側部延伸部（１２４）は、前記第２連結点（１２４）に連結され、前記ブリッジ部材（１１）の第２境界フランジ（１７）を超えて前記ブリッジコネクタ（１９）の第１本体部（２０）の第２側部境界（３３）まで延び、前記略平面状の第１の境界延伸部（１１７）は、前記第１側部延伸部（１２４）に対して角度をなし、前記略平面状の第２の境界延伸部（１１７）は、前記第２側部延伸部（１２４）に対して角度をなす、建造物接続体（１）。
【請求項２】
前記第１本体部（２０）の中央部（１１１）は、前記第１本体部（２０）の中央部（１１１）が前記ブリッジ部材（１１）の第１及び第２境界フランジ（１７）の内面（７１）に接合するように寸法決めされることにより、前記ブリッジコネクタ（１９）の中央部（１１１）と前記ブリッジ部材（１１）の第１及び第２境界フランジ（１７）との機械的な係合によって、垂直軸（１３１）上における前記ブリッジコネクタ（１９）の前記ブリッジ部材（１１）に対する回転移動が制限される、請求項１に記載の建造物接続体（１）。
【請求項３】
ａ．前記第１本体部（２０）の中央部（１１１）の略平面状の第１の境界延伸部（１１７）は、前記水平ブリッジ部材（１１）の第１境界フランジ（１７）の内面（７１）の略平面状の部分に合わせて寸法決めされ、
ｂ．前記第１本体部（２０）の中央部（１１１）の略平面状の第２の境界延伸部（１１７）は、前記水平ブリッジ部材（１１）の第２境界フランジ（１７）の内面（７１）の略平面状の部分に合わせて寸法決めされる、請求項１に記載の建造物接続体（１）。
【請求項４】
前記第１本体部（２０）の中央部（１１１）は、前記水平ブリッジ部材（１１）における前記中間ウェブ（１２）の内面（１５）、前記第１境界フランジ（１７）の内面（７１）、及び前記第２境界フランジ（１７）の内面（７１）に隣接する部分に合わせて寸法決めされる、請求項３に記載の建造物接続体（１）。
【請求項５】
ａ．前記中央ウェブ部（１１２）の内面（１１５）と前記略平面状の第１の境界延伸部（１１７）の内面（１１８）との角度は、直角であり、
ｂ．前記中央ウェブ部（１１２）の内面（１１５）と前記略平面状の第２の境界延伸部（１１７）の内面（１１８）との角度は、直角である、請求項１に記載の建造物接続体（１）。
【請求項６】
ａ．前記第１側部延伸部（１２４）は、第１内面（１２５）と第１外面（１２６）とを有し、
ｂ．前記第２側部延伸部（１２６）は、第２内面（１２５）と第２外面（１２６）とを有し、
ｃ．前記略平面状の第１の境界延伸部（１１７）の外面（１１９）と前記第１側部延伸部（１２４）の外面（１２６）との角度は、直角であり、
ｄ．前記略平面状の第２の境界延伸部（１１７）の外面（１１９）と前記第２側部延伸部（１２４）の外面（１２６）との角度は、直角である、請求項１に記載の建造物接続体（１）。
【請求項７】
（ａ）第１側部フランジ（３５）は、前記第１側部境界（３３）に対して取り付けられ、第２側部フランジ（３５）は、前記第２側部境界（３３）に対して取り付けられ、
（ｂ）前記第１側部フランジ（３５）は、内面（３７）と、前記内面（３７）の反対側の外面（３８）とを有し、
（ｃ）前記第２側部フランジ（３５）は、内面（３７）と、前記内面（３７）の反対側の外面（３８）とを有し、
（ｄ）前記ブリッジコネクタ（２）の第１側部フランジ（３５）は、前記壁スタッド（２）の前記中央ウェブ（３）に対して接合し、
（ｅ）前記ブリッジコネクタ（２）の第２側部フランジ（３５）は、前記壁スタッド（２）の前記中央ウェブ（３）に対して接合し、
（ｆ）前記ブリッジコネクタ（２）の第１側部フランジ（３５）及び前記ブリッジ部材（１１）の第１境界フランジ（１７）は、少なくとも部分的に非平行であり、
（ｇ）前記ブリッジコネクタ（２）の第２側部フランジ（３５）及び前記ブリッジ部材（１１）の第２境界フランジ（１７）は、少なくとも部分的に非平行である、請求項６に記載の建造物接続体（１）。
【請求項８】
ａ．前記中央ウェブ部（１１２）の外面（１１６）は、前記ブリッジ部材（１１）の中間ウェブ（１２）の内面（１５）に隣接し、
ｂ．前記略平面状の第１の境界延伸部（１１７）の外面（１１９）は、前記ブリッジ部材（１１）の第１境界フランジ（１７）の内面（１７１）に隣接し、
ｃ．前記略平面状の第２の境界延伸部（１１７）の外面（１１９）は、前記ブリッジ部材（１１）の第２境界フランジ（１７）の内面（１８１）に隣接する、請求項１に記載の建造物接続体（１）。
【請求項９】
ａ．前記ブリッジコネクタ（１９）の中央ウェブ部（１１２）は、第１締結開口部（８２）を中心に置く第１締結隆起部（１２７）を備え、
ｂ．前記第１締結隆起部（１２７）は、前記ブリッジ部材（１１）の中間ウェブ（１２）に対して当接していない、請求項８に記載の建造物接続体（１）。
【請求項１０】
１つの締め具（８１）のみによって、前記ブリッジ部材（１１）に対して前記ブリッジコネクタ（１９）が締結され、前記１つの締め具（８１）は、前記第１締結隆起部（１２７）における前記締結開口部（８２）に挿入される、請求項９に記載の建造物接続体（１）。
【請求項１１】
ａ．略垂直な壁スタッド（２）であって、
ｉ．開口部（８）を有する中央ウェブ（３）と、
ｉｉ．前記中央ウェブ（３）に対して一体的に取り付けられる第１側部フランジ（９）と、
ｉｉｉ．前記中央ウェブ（３）に対して一体的に取り付けられる第２側部フランジ（９）と、を有する壁スタッド（２）と、
ｂ．前記中央ウェブ（３）の前記開口部（８）を通して挿入された略水平なブリッジ部材（１１）であって、
ｉ．第１境界（１３）と、第２境界（１３）と、内面（１５）と、外面（１６）と、を有する、少なくとも部分的に平面状の中間ウェブ（１２）と、
ｉｉ．前記第１境界（１３）において、前記中間ウェブ（１２）に対して角度をなして連結され、前記中間ウェブ（１２）から延びる、少なくとも部分的に平面状の第１境界フランジ（１７）であって、内面（７１）と外面（７２）とを有する第１境界フランジ（１７）と、
ｉｉｉ．前記第２境界（１３）において、前記中間ウェブ（１２）に対して角度をなして連結され、前記中間ウェブ（１２）から延びる、少なくとも部分的に平面状の第２境界フランジ（１７）であって、前記第１境界フランジ（１７）の内面（７１）に対向する内面（７１）と、前記第１境界フランジ（１７）の外面（７２）と反対に向く外面（７２）と、を有する第２境界フランジ（１７）と、を備え、
ｉｖ．前記ブリッジ部材（１１）の第１及び第２境界フランジ（１７）は、それぞれ、互いに平行な第１及び第２外側縁部（７５）を有する、ブリッジ部材（１１）と、
ｃ．前記壁スタッド（２）の中央ウェブ（３）に当接し、前記ブリッジ部材（１１）に対して締結されるブリッジコネクタ（１９）であって、
ｉ．第１内側縁部（２３）と第１外側縁部（１０１）とを有する第１本体部（２０）であって、前記第１本体部（２０）の剛性中央部（１１１）は、前記水平ブリッジ部材（１１）における前記第１境界フランジ（１７）の内面（７１）及び前記第２境界フランジ（１７）の内面（７１）の略平面状の部分に合わせて寸法決めされることにより、前記第１本体部（２０）は、少なくとも２点において前記第１及び第２境界フランジ（１７）の一方の内面（７１）と当接し、少なくとも１点において前記第１及び第２境界フランジ（１７）の他方の内面（７１）と当接する、第１本体部（２０）と、
ｉｉ．第１内面（２１）及び前記第１内面（２１）の反対側の第１外面（２２）であって、前記第１内面（２１）及び前記第１外面（２２）の一方が前記ブリッジ部材（１１）に対向する、第１内面（２１）及び第１外面（２２）とを備える、ブリッジコネクタ（１９）と、を備え、
ｄ．前記第１内側縁部（２３）は、第１ウェブ接合部（２４）と第２ウェブ接合部（２４）とを有し、前記ブリッジコネクタ（１９）は、
ｉ．第２内面（２１）と、前記第２内面（２１）の反対側の第２外面（２２）と、を有する第２本体部（２０）であって、前記第２内面（２１）及び第２外面（２２）の一方は、前記ブリッジ部材（１１）に対向し、第３ウェブ接合部（２４）及び第４ウェブ接合部（２４）を有する第２内側縁部（２３）をさらに有する、第２本体部（２０）と、
ｉｉ．前記第１内側縁部（２３）の第１ウェブ接合部（２４）及び第２ウェブ接合部（２４）の間、並びに、前記第２内側縁部（２３）の第３ウェブ接合部（２４）及び第４ウェブ接合部（２４）の間で、前記第１本体部（２０）を前記第２本体部（２０）に対して連結するネック（３２）と、をさらに備え、
（ａ）前記ネック（３２）は、前記壁スタッド（２）の中央ウェブ（３）における前記開口部（８）を貫通し、
（ｂ）前記第１内側縁部（２３）の第１ウェブ接合部（２４）及び第２ウェブ接合部（２４）は、前記壁スタッド（２）の中央ウェブ（３）に対して接合し、
（ｃ）前記第２内側縁部（２３）の第３ウェブ接合部（２４）及び第４ウェブ接合部（２４）は、前記壁スタッド（２）の中央ウェブ（３）に対して接合する、建造物接続体（１）。
【請求項１２】
前記第２本体部（２０）の剛性中央部（１１１）は、前記水平ブリッジ部材（１１）における前記中間ウェブ（１２）、並びに、前記第１境界フランジ（１７）及び第２境界フランジ（１７）の内面（１５、７１）の少なくとも２つの隣接部分に合わせて寸法決めされることにより、前記第２本体部（２０）は、少なくとも２点において前記第１及び第２境界フランジ（１７）の一方の内面（７１）と当接し、少なくとも１点において前記第１及び第２境界フランジ（１７）の他方の内面（７１）と当接する、請求項１１に記載の建造物接続体（１）。
【請求項１３】
前記第２本体部（２０）の中央部（１１１）は、前記第２本体部（２０）の中央部（１１１）がブリッジ部材（１１）の第１及び第２境界フランジ（１７）の内面（７１）に接合するように寸法決めされることにより、前記ブリッジコネクタ（１９）の中央部（１１１）と前記ブリッジ部材（１１）の第１及び第２境界フランジ（１７）との機械的な係合によって、垂直軸における前記ブリッジコネクタ（１９）の前記ブリッジ部材（１１）に対する回転移動が制限される、請求項１２に記載の建造物接続体（１）。
【請求項１４】
ａ．前記第２本体部（２０）の中央部（１１１）の略平面状の第１の境界延伸部（１１７）は、前記水平ブリッジ部材（１１）の第１境界フランジ（１７）の内面（７１）の略平面状の部分に合わせて寸法決めされ、
ｂ．前記第２本体部（２０）の中央部（１１１）の略平面状の第２の境界延伸部（１１７）は、前記水平ブリッジ部材（１１）の第２境界フランジ（１７）の内面（７１）の略平面状の部分に合わせて寸法決めされる、請求項１２に記載の建造物接続体（１）。
【請求項１５】
前記第２本体部（２０）の中央部（１１１）は、前記水平ブリッジ部材（１１）における前記中間ウェブ（１２）の内面（１５）、前記第１境界フランジ（１７）の内面（７１）、及び前記第２境界フランジ（１７）の内面（７１）に隣接する部分に合わせて寸法決めされる、請求項１４に記載の建造物接続体（１）。
【請求項１６】
前記第２本体部（２０）の中央部（１１１）は、
ａ．第１境界（１１３）と、第２境界（１１３）と、内面（１１５）と、外面（１１６）と、を有する中央ウェブ部（１１２）と、
ｂ．前記第１境界（１１３）に連結され、内面（１１８）と外面（１１９）とを有する、略平面状の第１の境界延伸部（１１７）と、
ｃ．前記第２境界（１１３）に連結され、内面（１１８）と外面（１１９）とを有する、略平面状の第２の境界延伸部（１１７）と、を備え、
ｉ．前記第２本体部（２０）の中央ウェブ部（１１２）は、前記略平面状の第１の境界延伸部（１１７）及び第２の境界延伸部（１１７）に対して角度をなす、請求項１２に記載の建造物接続体（１）。
【請求項１７】
ａ．前記第２本体部（２０）の中央ウェブ部（１１２）の内面（１１５）と前記第２本体部（２０）の略平面状の第１の境界延伸部（１１７）の内面（１１８）との角度は、直角であり、
ｂ．前記第２本体部（２０）の中央ウェブ部（１１２）の内面（１１５）と前記第２本体部（２０）の略平面状の第２の境界延伸部（１１７）の内面（１１８）との角度は、直角である、請求項１６に記載の建造物接続体（１）。
【請求項１８】
ａ．前記第２本体部（２０）の略平面状の第１の境界延伸部（１１７）は、前記第１境界（１１３）から第１連結点（１２３）に延び、
ｂ．前記第２本体部（２０）の略平面状の第２の境界延伸部（１１７）は、前記第２境界（１１３）から第２連結点（１２３）に延び、
ｃ．前記第２本体部（２０）は、第１側部延伸部（１２４）を備え、前記第１側部延伸部（１２４）は、前記第１連結点（１２３）に連結され、前記ブリッジ部材（１１）の第１境界フランジ（１７）を超えて前記ブリッジコネクタ（１９）の第２本体部（２０）の第１側部境界（３３）まで延び、
ｄ．前記第２本体部（２０）は、第２側部延伸部（１２４）を備え、前記第２側部延伸部（１２４）は、前記第２連結点（１２４）に連結され、前記ブリッジ部材（１１）の第２境界フランジ（１７）を超えて前記ブリッジコネクタ（１９）の第２本体部（２０）の第２側部境界（３３）まで延び、
ｅ．前記第２本体部（２０）の略平面状の第１の境界延伸部（１１７）は、前記第２本体部（２０）の第１側部延伸部（１２４）に対して角度をなし、
ｆ．前記第２本体部（２０）の略平面状の第２の境界延伸部（１１７）は、前記第２本体部（２０）の第２側部延伸部（１２４）に対して角度をなす、請求項１７に記載の建造物接続体（１）。
【請求項１９】
ａ．前記第２本体部（２０）の第１側部延伸部（１２４）は、第１内面（１２５）と第１外面（１２６）とを有し、
ｂ．前記第２本体部（２０）の第２側部延伸部（１２６）は、第２内面（１２５）と第２外面（１２６）とを有し、
ｃ．前記第２本体部（２０）の略平面状の第１の境界延伸部（１１７）の外面（１１９）と前記第２本体部（２０）の第１側部延伸部（１２４）の外面（１２６）との角度は、直角であり、
ｄ．前記第２本体部（２０）の略平面状の第２の境界延伸部（１１７）の外面（１１９）と前記第２本体部（２０）の第２側部延伸部（１２４）の外面（１２６）との角度は、直角である、請求項１８に記載の建造物接続体（１）。
【請求項２０】
（ａ）第１側部フランジ（３５）は、前記第２本体部（２０）の第１側部境界（３３）に対して取り付けられ、第２側部フランジ（３５）は、前記第２本体部（２０）の第２側部境界（３３）に対して取り付けられ、
（ｂ）前記第２本体部（２０）の第１側部フランジ（３５）は、内面（３７）と、前記内面（３７）の反対側の外面（３８）とを有し、
（ｃ）前記第２本体部（２０）の第２側部フランジ（３５）は、内面（３７）と、前記内面（３７）の反対側の外面（３８）とを有し、
（ｄ）前記ブリッジコネクタ（２）の第２本体部（２０）の第１側部フランジ（３５）は、前記壁スタッド（２）の中央ウェブ（３）に対して接合し、
（ｅ）前記ブリッジコネクタ（２）の第２本体部（２０）の第２側部フランジ（３５）は、前記壁スタッド（２）の中央ウェブ（３）に対して接合し、
（ｆ）前記ブリッジコネクタ（２）の第２本体部（２０）の第１側部フランジ（３５）及び前記ブリッジ部材（１１）の第１境界フランジ（１７）は、少なくとも部分的に非平行であり、
（ｇ）前記ブリッジコネクタ（２）の第２本体部（２０）の第２側部フランジ（３５）及び前記ブリッジ部材（１１）の第２境界フランジ（１７）は、少なくとも部分的に非平行である、請求項１９に記載の建造物接続体（１）。
【請求項２１】
ａ．前記第２本体部（２０）の中央ウェブ部（１１２）の外面（１１６）は、前記ブリッジ部材（１１）の中間ウェブ（１２）の内面（１５）に隣接し、
ｂ．前記第２本体部（２０）の略平面状の第１の境界延伸部（１１７）の外面（１１９）は、前記ブリッジ部材（１１）の第１境界フランジ（１７）の内面（１７１）に隣接し、
ｃ．前記第２本体部（２０）の略平面状の第２の境界延伸部（１１７）の外面（１１９）は、前記ブリッジ部材（１１）の第２境界フランジ（１７）の内面（１８１）に隣接する、請求項１６に記載の建造物接続体（１）。
【請求項２２】
ａ．前記ブリッジコネクタ（１９）の第１本体部（２０）の中央ウェブ部（１１２）は、第１締結開口部（８２）を中心に置く第１締結隆起部（１２７）を備え、
ｂ．前記第１締結開口部（８２）は、前記ブリッジ部材（１１）の中間ウェブ（１２）に対して当接していない、請求項２１に記載の建造物接続体（１）。
【請求項２３】
１つの締め具（８１）のみによって、前記ブリッジ部材（１１）に対して前記ブリッジコネクタ（１９）が締結され、前記１つの締め具（８１）は、前記第１締結隆起部（１２７）における前記締結開口部（８２）に挿入される、請求項２２に記載の建造物接続体（１）。
【請求項２４】
ａ．前記ブリッジ部材（１１）は、複数の略垂直な壁スタッド（２）に通して挿入され、そして
ｂ．前記ブリッジコネクタ（１９）は、唯一の壁スタッド（２）の中央ウェブ（３）と接触する、請求項１に記載の建造物接続体（１）。
【請求項２５】
ａ．前記ブリッジ部材（１１）は、複数の略垂直な壁スタッド（２）に通して挿入され、そして
ｂ．前記ブリッジコネクタ（１９）は、唯一の壁スタッド（２）の中央ウェブ（３）と接触する、請求項７に記載の建造物接続体（１）。
【請求項２６】
ａ．前記ブリッジ部材（１１）は、複数の略垂直な壁スタッド（２）に通して挿入され、そして
ｂ．前記ブリッジコネクタ（１９）は、唯一の壁スタッド（２）の中央ウェブ（３）と接触する、請求項８に記載の建造物接続体（１）。
【請求項２７】
ａ．前記ブリッジ部材（１１）は、複数の略垂直な壁スタッド（２）に通して挿入され、そして
ｂ．前記ブリッジコネクタ（１９）は、唯一の壁スタッド（２）の中央ウェブ（３）と接触する、請求項１１に記載の建造物接続体（１）。
【請求項２８】
ａ．前記ブリッジ部材（１１）は、複数の略垂直な壁スタッド（２）に通して挿入され、そして
ｂ．前記ブリッジコネクタ（１９）は、唯一の壁スタッド（２）の中央ウェブ（３）と接触する、請求項１２に記載の建造物接続体（１）。
【請求項２９】
ａ．前記ブリッジ部材（１１）は、複数の略垂直な壁スタッド（２）に通して挿入され、そして
ｂ．前記ブリッジコネクタ（１９）は、唯一の壁スタッド（２）の中央ウェブ（３）と接触する、請求項１８に記載の建造物接続体（１）。
【発明の詳細な説明】
【技術分野】
【０００１】
本発明は、鋼製スタッド建築壁用システムに関し、特に、鋼製スタッドを固定することによって、当該システムにおける側方からの動き及びねじれを防止する装置に関する。
【背景技術】
【０００２】
多数の工業用建造物、及び、増加傾向にある居住用建造物は、種々の理由から、鋼製スタッド壁組を使用して建設されている。鉄骨造は、耐火性を有し、歪曲せず、寄生されず、腐朽しない。任意の種類のスタッド、木材、又は鋼で壁を建築するときに、スタッドを、互いに連続して、側方からの動き及びねじれに抗うように固定されることが、一般的に望まれている。木製スタッド壁においては、通常、短い木製ブロック片が、隣接するスタッド組に対して釘付けされることによって、当該スタッド組を固定する。鋼製スタッド壁においては、通常、細長い鋼製のブリッジ部材が、一続きの垂直スタッドに予め開けられた開口部に水平に挿入されることによって、当該垂直スタッドが互いに位置合わせされる。鋼製スタッドは、直線状である場合には、優れた柱強度を有するが、湾曲している場合には、当該強度の大部分が失われる。鋼製スタッドは特にねじれの影響を受けやすいため、通常溝状であり、水平ウェブと２つの垂直側部フランジとを有するブリッジ部材は、最大のトルク抵抗を得るために、垂直スタッドにおける開口に対して密接に嵌合するように形成されている。機械トルクに加えて、防火帯として機能する乾式壁被覆材の破壊時に、金属製スタッドは、火災の熱に対して湾曲又は屈曲することができる。金属製スタッドが湾曲又は屈曲するときに、耐荷力を失い、火災による直接的な被害が拡大する。
【０００３】
開口部においてしっかりと受けられる溝状ブリッジ部材が、スタッドの湾曲防止に役立つ一方、ある程度の湾曲が起こり、スタッドが、壁に対して平行にずれるか屈曲する場合がある。単に直角の板金ブラケットから始まり、各種板金ブラケットが上述のずれ又は屈曲を防止するように設計されている。従来技術のブラケットは、全て、設置に比較的大きな労働力を要し、当該ブラケットの全ての接続体は、比較的弱い。例えば、単に直角のブラケットを用いて、設置者は、ブラケットの水平脚部をブリッジ部材上に設置し、垂直脚部を壁スタッドのウェブに対して設置する。ねじを両方の脚部に対して挿入することによって、ブラケットをブリッジ部材及びスタッドに対して取り付ける。ブラケットは、その機能がねじ接続体に依存し、設置者は、ブラケットを確実且つ正確に設置しなければならない。さらに後の従来技術のブラケットにおいては、この基礎接続体が改良されている。
【０００４】
また、従来技術は、上述の木製ブロック部材のような、短いブリッジ部材を備え、当該ブリッジ部材は、隣接するスタッドのみに架かり、壁スタッドの締結用に構成された端部を有するが、これらのブリッジ部材は、比較的高額である。これは、以下の理由による：ブリッジ部材が上述の端部を形成するための付加的な材料を使用する；ブリッジ部材が多数の締め具を要する；ブリッジ部材の長さを固定する必要があるため、２つの任意のスタッド間の間隔が基準とは異なる場合に不要となる。
【０００５】
さらに、従来技術は、壁スタッドウェブの開口部に合うように設計される一続きのスロットを有する、細長いブリッジ部材を備えるが、これらのブリッジ部材による接続が比較的弱く、スタッド間の種々の間隔に適合しないという不都合がある。
【０００６】
本発明は、従来技術のブラケットに比べて材料が少なく、少ない数の締め具を使用して早く且つ容易に設置され、従来技術に比べて強固であり、側方荷重及びトルク荷重に良好に耐える接続体を構成する、ブラケットを提供することを目的とする。特に、本発明は、典型的な溝状ブリッジ部材の外側及び内側の両方に設置可能なブラケットを提供することを目的とする。溝状ブリッジ部材の内側に設置する機能が特に有益であり、これは、ブリッジ部材が、より標準的なｎ状溝の代わりにｕ状溝として、上下反転して設置されることが多いからである。
【発明の概要】
【課題を解決するための手段】
【０００７】
本発明は、ブリッジ部材と共に建築壁用鋼製スタッドをしっかりと接続及び固定するコネクタを提供する。ブリッジ部材は、壁部における数個のスタッドのそれぞれにおける開口部を貫通する。ブリッジ部材は、スタッドを貫通して設置されるときに、壁の長さに沿ってスタッドを保持するように設計されている。
【０００８】
本発明は、壁スタッドのウェブに対して係合することによって優れたねじり剛性を有する縁部を有するコネクタを提供する。縁部は、コネクタの本体部によってブレーシングされることにより、壁スタッドのウェブに隣接するフランジと比べて大幅に高い負荷に耐えることが可能である。
【０００９】
本発明は、壁スタッドを接続するブリッジ部材の側部に接合し、優れたねじり剛性を有する縁部又は類似の狭線部を有するコネクタを提供する。これらの狭い接合部は、フランジによってブレーシングされ、当該フランジは、ブリッジ部材の側部と並んで平行に位置する代わりに、ブリッジ部材の側部に交差する。
【００１０】
ブリッジ部材の側部との接合部は、さらに、壁スタッドのウェブに対してフランジの対向する端部をブレーシングすることによってさらに補強され、それにより、傾斜フランジが、ブリッジ部材の側部と壁スタッドのウェブとの間に嵌る。
【００１１】
ブリッジコネクタと、ブリッジ部材と、壁スタッドとの間の係合接続による優れた強度によって、ブリッジ部材に対してブリッジコネクタの本体を取り付ける１つの締め具を使用して、ブリッジ部材をしっかりと接続可能となる。
【００１２】
さらなる強度を得るために、付加的な締め具が、壁スタッドに対してブリッジコネクタを取り付けるために使用可能である。
【００１３】
本発明のコネクタは、ブリッジ部材の内面に合うような形状を有しているが、溝状のブリッジ部材の内側又は外側に取り付け可能である。
【００１４】
本発明のコネクタは、ブリッジ部材の境界フランジに対して機械的に係合し、ブリッジ部材の境界フランジとスタッドのウェブとの間において拘束される。
【００１５】
本発明のコネクタは、典型的なブリッジ部材の平面状の境界フランジに対して接合可能であり、これら２つの係合を向上させる。
【００１６】
本発明のコネクタは、典型的なブリッジ部材の３つの内面の全てに対して接合可能であり、これら２つの係合をさらに向上させる。
【００１７】
本発明のコネクタは、典型的なブリッジ部材と同様の溝形状を有する中央部を備え、これら２つの係合をさらに向上させる。
【００１８】
本発明のコネクタは、直角な溝形状を有する中央部を備え、２つの部材の係合をさらに向上させる。
【００１９】
本発明のコネクタは、ブリッジ部材を超えて側方に延びることによって、ブリッジ部材とスタッドのウェブとの間の接続を向上させることが可能である。
【００２０】
本発明のコネクタは、スタッドのウェブに対してブリッジ部材の境界フランジをブレーシングする側部フランジを備える。
【００２１】
本発明のコネクタは、締結隆起部を備え、当該締結隆起部は、締結開口部の周りでコネクタを強化し、コネクタがブリッジ部材溝の外側に設置されるときにブリッジ部材に対して接触可能である。
【００２２】
本発明のコネクタは、１つの締め具を使用して締結可能であり、容易且つ迅速に設置を行うことが可能である。
【００２３】
本発明のコネクタは、スタッドウェブ開口部の両側においてスタッドのウェブに対向し接合する縁部を有するスロットを備える。
【００２４】
本発明のコネクタは、垂直軸周りのねじり回転に対してスタッドを補強する接続部を備える。同一の接続部は、水平軸周りの回転に対してブリッジ部材を補強する。
【図面の簡単な説明】
【００２５】
【図１】典型的な冷間成形鋼製壁スタッドと、典型的な冷間成形鋼製ブリッジ部材と、本発明に係るブリッジコネクタとの間の接続を示す右上からの正面斜視図である。
【図２】典型的な冷間成形鋼製ブリッジ部材の上方において、典型的な冷間成形鋼製スタッドのウェブにおける細長い開口部に挿入される前の、本発明に係るブリッジコネクタを示す右上からの正面斜視図である。
【図３】典型的な冷間成形鋼製ブリッジ部材の上方において、典型的な冷間成形鋼製スタッドのウェブにおける細長い開口部に挿入された、本発明に係るブリッジコネクタを示す右上からの正面斜視図である。
【図４】個別の締め具でブリッジ部材に対して取り付けられる前の、典型的な冷間成形鋼製スタッドのウェブにおける細長い開口部の側部に接合され、典型的な冷間成形鋼製ブリッジ部材上に載置される、本発明に係るブリッジコネクタを示す右上からの正面斜視図である。
【図５】典型的な冷間成形鋼製壁スタッドと、典型的な冷間成形鋼製ブリッジ部材と、本発明の好適な態様に係るブリッジコネクタとの間の接続を示し、ブリッジコネクタの下方のブリッジ部材の一部、ブリッジコネクタの境界フランジの内面、並びに、ブリッジコネクタの側部フランジの内面を仮想線で示す上方からの平面図である。
【図６】典型的な冷間成形鋼製壁スタッドと、典型的な冷間成形鋼製ブリッジ部材と、本発明の好適な態様に係るブリッジコネクタとの間の接続を示す上方からの平面図である。
【図７】典型的な冷間成形鋼製壁スタッドと、反転された冷間成形鋼製スタッドと、本発明に係る反転されたブリッジコネクタとの間の接続を示す右上からの正面斜視図である。
【図８】反転された冷間成形鋼製ブリッジ部材の上方において、典型的な冷間成形鋼製スタッドのウェブにおける細長い開口部に挿入される前の、本発明に係るブリッジコネクタを示す右上からの正面斜視図である。
【図９】反転された冷間成形鋼製ブリッジ部材の上方において、典型的な冷間成形鋼製スタッドのウェブにおける細長い開口部に挿入された、本発明に係るブリッジコネクタを示す右上からの正面斜視図である。
【図１０】個別の締め具でブリッジ部材に対して取り付けられる前の、典型的な冷間成形鋼製スタッドのウェブにおける細長い開口部の側部に接合され、反転された冷間成形鋼製ブリッジ部材上に載置される、本発明に係るブリッジコネクタを示す右上からの正面斜視図である。
【図１１】典型的な冷間成形鋼製壁スタッドと、反転された冷間成形鋼製ブリッジ部材と、本発明の好適な態様に係るブリッジコネクタとの間の接続を示し、ブリッジコネクタの下方のブリッジ部材の一部、ブリッジコネクタの境界フランジの内面、並びに、ブリッジコネクタの側部フランジの内面を仮想線で示す上方からの平面図である。
【図１２】典型的な冷間成形鋼製壁スタッドと、反転された冷間成形鋼製ブリッジ部材と、本発明の好適な態様に係るブリッジコネクタとの間の接続を示す上方からの平面図である。
【図１３】本発明の好適な態様に係るブリッジコネクタを示す左上からの背面斜視図である。
【図１４】本発明の好適な態様に係るブリッジコネクタを示す左下からの背面斜視図である。
【図１５】本発明の好適な態様に係るブリッジコネクタを示す下からの平面図である。
【図１６】本発明の好適な態様に係るブリッジコネクタを示す上からの平面図である。
【図１７】本発明の好適な態様に係るブリッジコネクタを示す背面立面図である。
【図１８】本発明の好適な態様に係るブリッジコネクタを示す正面立面図である。
【図１９】本発明の好適な態様に係るブリッジコネクタを示す左側面立面図である。
【発明を実施するための形態】
【００２６】
図１、図４〜図７、及び図１０〜図１２に示すように、本発明は、建造物コネクタ１に関し、建造物コネクタ１は、略垂直な壁スタッド２と、略水平なブリッジ部材１１と、ブリッジコネクタ１９と、を備える。構成部材は、通常、冷間成形鋼板から形成され、ブリッジコネクタ１９は、冷間成形鋼から形成されることが好ましい。しかしながら、それらのいずれか又は全ては、任意の好適な製造方法で形成される、十分に強いその他の材料から形成されてもよい。
【００２７】
図１〜図４及び図７〜図１０に示すように、略垂直な壁スタッド２は、開口部８を有する中央ウェブ３と、中央ウェブ３に対して一体的に取り付けられる第１側部フランジ９と、中央ウェブ３に対して一体的に取り付けられる第２側部フランジ９と、を有することが好ましい。中央ウェブ３は、通常、四辺４によって境界され、中央ウェブ３は、内面６と外面７とを有する。中央ウェブにおける開口部８は、通常、垂直方向に細長く、両側に細長い２つの垂直部分６６と、垂直部分６６を連結する２つの凹部６８と、を有する縁部６５を有する。側部フランジ９は、内面５３と外面５４とを有する。さらに、壁スタッド２は、通常、第１及び第２側部フランジ９にそれぞれ取り付けられる第１及び第２補強フランジ５７を有する。補強フランジ５７は、互いに対向する内側縁部５９と、内面６１と、外面６２と、を有する。
【００２８】
図１〜図４及び図７〜図１０に示すように、略水平なブリッジ部材１１は、好ましくは、少なくとも部分的に平面状の中間ウェブ１２と、少なくとも部分的に平面状の第１境界フランジ１７と、少なくとも部分的に平面状の第２境界フランジ１７と、を有する。少なくとも部分的に平面状の中間ウェブ１２は、好ましくは、第１境界１３と、第２境界１３と、内面１５と、外面１６と、を有する。好ましくは、少なくとも部分的に平面状の第１境界フランジ１７は、第１境界１３において、中間ウェブ１２に対して角度をなして連結され、中間ウェブ１２から延びている。第１境界フランジ１７は、好ましくは、内面７１と外面７２とを有する。好ましくは、少なくとも部分的に平面状の第２境界フランジ１７は、第２境界１３において、中間ウェブ１２に対して角度をなして連結され、中間ウェブ１２から延びている。第２境界フランジ１７は、好ましくは、第１境界フランジ１７の内面７１に向かって対向する内面７１と、第１境界フランジ１７の外面７２と反対に向く外面７２と、を有する。好ましくは、ブリッジ部材１１の第１及び第２境界フランジ１７は、それぞれ、互いに平行な第１及び第２外側縁部７５を有する。
【００２９】
図１、図５〜図７、図１１、及び図１２に示すように、ブリッジコネクタ１９は、好ましくは、壁スタッド２の中央ウェブ３に当接し、ブリッジ部材１１に対して締結される。好ましくは、ブリッジコネクタ１９は、第１本体部２０と、第１内面２１と、第１外面２２と、を有する。第１本体部２０は、好ましくは、第１内側縁部２３と第１外側縁部１０１とを有する。好ましくは、第１本体部２０の剛性中央部１１１は、水平ブリッジ部材１１における第１境界フランジ１７の内面７１及び第２境界フランジ１７の内面７１の略平面状の部分に合わせて寸法決めされる。従って、第１本体部２０は、好ましくは、少なくとも２点において第１及び第２境界フランジ１７の一方の内面７１と当接し、少なくとも１点において第１及び第２境界フランジ１７の他方の内面７１と当接する。
【００３０】
図１４〜図１９に示すように、第１外面２２は、好ましくは、第１内面２１とは反対にある。第１内面２１及び第１外面２２の一方は、好ましくは、ブリッジ部材１１に対向する。好ましくは、第１本体部２０は、第１側部境界３３と第２側部境界３３とを有する。ブリッジコネクタ１９の中央部１１１は、好ましくは、第１直線境界線１３０及び第２直線境界線１３０によって境界される。好ましくは、第１及び第２境界線１３０は、互いに平行であり、ブリッジ部材１１の第１及び第２境界フランジ１７の第１及び第２外側縁部１２９の間隔とそれぞれ一致する間隔を有する。
【００３１】
図１、図５〜図７、図１１、及び図１２に示すように、第１本体部２０の中央部１１１は、好ましくは、第１本体部２０の中央部１１１がブリッジ部材１１の第１及び第２境界フランジ１７の内面７１に接合するように寸法決めされ、ブリッジコネクタ１９の中央部１１１とブリッジ部材１１の第１及び第２境界フランジ１７との機械的な係合によって、垂直軸１３１上におけるブリッジコネクタ１９のブリッジ部材１１に対する回転移動が制限される。
【００３２】
図１、図５〜図７、図１１、及び図１２に示すように、第１本体部２０の中央部１１１の略平面状の第１の部分１１７は、好ましくは、水平ブリッジ部材１１の第１境界フランジ１７の内面７１の略平面状の部分に合わせて寸法決めされる。第１本体部２０の中央部１１１の略平面状の第２の部分１１７は、好ましくは、水平ブリッジ部材１１の第２境界フランジ１７の内面７１の略平面状の部分に合わせて寸法決めされる。
【００３３】
図１、図５〜図７、図１１、及び図１２に示すように、第１本体部２０の中央部１１１は、好ましくは、水平ブリッジ部材１１における中間ウェブ１２の内面１５、第１境界フランジ１７の内面７１、及び第２境界フランジ１７の内面７１に隣接する部分に合わせて寸法決めされる。
【００３４】
図１４〜図１９に示すように、第１本体部２０の中央部１１１は、好ましくは、中央ウェブ部１１２と、第１境界延伸部１１７と、第２境界延伸部１１７と、を有する。中央ウェブ部１１２は、好ましくは、第１境界１１３と、第２境界１１３と、内面１１５と、外面１１６と、を有する。好ましくは、第１境界延伸部１１７は、第１境界１１３に対して連結される。第１境界延伸部１１７は、好ましくは、内面１１８と外面１１９とを有する。第２境界延伸部１１７は、好ましくは、第２境界１１３に連結される。好ましくは、第２境界延伸部１２０は、好ましくは、内面１１８と外面１１９とを有する。第１本体部２０の中央ウェブ部１１２は、好ましくは、第１境界延伸部１１７及び第２境界延伸部１２０に対して角度をなす。
【００３５】
図１４〜図１９に示すように、中央ウェブ部１１２の内面１１５と第１境界延伸部１１７の内面１１８との角度は、好ましくは、直角である。中央ウェブ部１１２の内面１１５と第２境界延伸部１２０の内面１１８との角度も、好ましくは、直角である。
【００３６】
図１４〜図１９に示すように、第１境界延伸部１１７は、好ましくは、第１境界１１３から第１連結点１２３に延びる。第２境界延伸部１１７は、好ましくは、第２境界１１３から第２連結点１２３に延びる。好ましくは、第１本体部２０は、第１側部延伸部１２４を備え、第１側部延伸部１２４は、第１連結点１２３に連結し、ブリッジ部材１１の第１境界フランジ１７を超えてブリッジコネクタ１９の第１本体部２０の第１側部境界３３まで延びる。第１本体部２０は、好ましくは、第２側部延伸部１２４を備え、第２側部延伸部１２４は、第２連結点１２４に連結し、ブリッジ部材１１の第２境界フランジ１７を超えてブリッジコネクタ１９の第１本体部２０の第２側部境界３３まで延びる。好ましくは、第１境界延伸部１１７は、第１側部延伸部１２４に対して角度をなす。第２境界延伸部１１７は、好ましくは、第２側部延伸部１２４に対して角度をなす。
【００３７】
図１４〜図１９に示すように、第１側部延伸部１２４は、好ましくは、第１内面１２５と第１外面１２６とを有する。第２側部延伸部１２６は、好ましくは、第２内面１２５と第２外面１２６とを有する。好ましくは、第１境界延伸部１１７の外面１１９と第１側部延伸部１２４の外面１２６との角度は、直角である。第２境界延伸部１１７の外面１１９と第２側部延伸部１２４の外面１２６との角度も、好ましくは、直角である。
【００３８】
図１、図５〜図７、図１１、及び図１２に示すように、好ましくは、第１側部フランジ３５は、第１側部境界３３に対して取り付けられ、第２側部フランジ３５は、第２側部境界３３に対して取り付けられる。第１側部フランジ３５は、好ましくは、内面３７と、内面３７の反対側の外面３８とを有する。好ましくは、第２側部フランジ３５は、内面３７と、内面３７の反対側の外面３８とを有する。ブリッジコネクタ２の第１側部フランジ３５は、好ましくは、ブリッジ部材１１の第１境界フランジ１７に対して接合する。好ましくは、ブリッジコネクタ２の第２側部フランジ３５は、ブリッジ部材１１の第２境界フランジ１７に対して接合する。ブリッジコネクタ２の第１側部フランジ３５及びブリッジ部材１１の第１境界フランジ１７は、好ましくは、少なくとも部分的に非平行である。好ましくは、ブリッジコネクタ２の第２側部フランジ３５及びブリッジ部材１１の第２境界フランジ１７は、少なくとも部分的に非平行である。側部フランジ３５は、好ましくは、外側縁部９１と、下側縁部９５と、内側縁部１０３と、を有する。
【００３９】
図７、図１１、及び図１２に示すように、中央ウェブ部１１２の外面１１６は、好ましくは、ブリッジ部材１１の中間ウェブ１２の内面１５に隣接する。好ましくは、第１境界延伸部１１７の外面１１９は、ブリッジ部材１１の第１境界フランジ１７の内面１７１に隣接する。第２境界延伸部１２０の外面１１９は、ブリッジ部材１１の第２境界フランジ１７の内面１８１に隣接する。
【００４０】
図７、図１１、及び図１２に示すように、好ましくは、ブリッジコネクタ１９の中央ウェブ部１１２は、第１締結開口部８２を中心に置く第１締結隆起部１２７を備える。第１締結隆起部１２７は、好ましくは、ブリッジ部材１１の中間ウェブ１２に対して当接していない。締結隆起部１２７は、好ましくは、ブリッジ部材１１の境界フランジ１７と同じ高さを有し、好ましくは、円形であるが、その高さ及び円周として、その他の寸法及び形状をとることができる。
【００４１】
図１、図５〜図７、図１１、及び図１２に示すように、好ましくは、１つの締め具８１のみによって、ブリッジ部材１１に対してブリッジコネクタ１９が締結され、１つの締め具８１は、第１締結隆起部１２７における締結開口部８２に挿入される。付加的な強度を要する場合には、付加的な留め具８１が使用可能である。また、付加的な締結隆起部１２７を設けてもよい。ブリッジコネクタ１９がブリッジ部材１１溝の外側に設置された場合、留め具８１と壁スタッド２の中央ウェブ３に当接するブリッジコネクタ１９の幾何学的特徴部との間に偶力が存在する。ブリッジコネクタ１９がブリッジ部材１１溝内に設置される場合にも同一の偶力が存在するが、ブリッジコネクタ１９の好適な構造は、ブリッジコネクタ１９がブリッジ部材１１溝から外れることを締め具８１によって防止可能なように、ブリッジコネクタ１９自体が垂直軸１３１周りの回転を阻止する配置を有する。好適な実施例において、締め具８１は、板金ねじ８１であり、その他の締め具８１も使用可能である。
【００４２】
又は、図１、図５、及び図６に示すように、中央ウェブ部１１２の内面１１５は、好ましくは、ブリッジ部材１１の中間ウェブ１２の外面１６に対向する。好ましくは、ブリッジコネクタ１９における第１境界延伸部１１７と第１側部延伸部１２４との第１連結点１２３は、ブリッジ部材１１の中間ウェブ１２の第１境界１３に隣接する。ブリッジコネクタ１９における第２境界延伸部１１７と第２側部延伸部１２４との第２連結点１２３は、好ましくは、ブリッジ部材１１の中間ウェブ１２の第２境界１３に隣接する。
【００４３】
図１、図５、及び図６に示すように、好ましくは、ブリッジコネクタ１９の中央ウェブ部１１２は、ブリッジ部材１１の中間ウェブ１２の外面１６に当接する第１締結隆起部１２７を備える。
【００４４】
図１、図５、及び図６に示すように、好ましくは、１つの締め具８１のみによって、ブリッジ部材１１に対してブリッジコネクタ１９が締結され、１つの締め具８１は、第１締結隆起部１２７における締結開口部８２に挿入され、ここにおいて、ブリッジコネクタ１９の締結隆起部１２７は、ブリッジ部材の中間ウェブ１２の外面１６に当接する。
【００４５】
図１、図５〜図７、図１１、及び図１２に示すように、好ましくは、第１内側縁部２３は、第１ウェブ接合部２４と第２ウェブ接合部２４とを有する。ブリッジコネクタ１９は、好ましくは、第２本体部２０と、第１本体部２０を第２本体部２０に対して連結するネック３２と、を有する。好ましくは、第２本体部２０は、第２内面２１と、第２内面１１の反対側の第２外面２２と、第３ウェブ接合部２４及び第４ウェブ接合部２４を有する第２内側縁部２９と、を有する。第２内面２１及び第２外面２２の一方は、好ましくは、ブリッジ部材１１に対向する。好ましくは、ネック３２は、第１内側縁部２３の第ウェブ接合部２４１及び第２ウェブ接合部２４の間、並びに、第２内側縁部２９の第３ウェブ接合部２４及び第４ウェブ接合部２４の間で、第１本体部２０を第２本体部２０に対して連結する。ネック３２は、好ましくは、壁スタッド２の中央ウェブ３における開口部８を貫通する。好ましくは、第１内側縁部２３の第１ウェブ接合部２４及び第２ウェブ接合部２４は、壁スタッド２の中央ウェブ３に対して接合する。第２内側縁部２９の第３ウェブ接合部２４及び第４ウェブ接合部２４は、好ましくは、壁スタッド２の中央ウェブ３に対して接合する。
【００４６】
図７、図１１、及び図１２に示すように、好ましくは、第２本体部２０の剛性中央部１１１は、水平ブリッジ部材１１における中間ウェブ１２、並びに、第１２境界フランジ１７及び第２境界フランジ１７の内面１５、７１の少なくとも２つの隣接部分に合わせて寸法決めされる。第２本体部２０は、好ましくは、少なくとも２点において第１及び第２境界フランジ１７の一方の内面７１と当接し、少なくとも１点において第１及び第２境界フランジ１７の他方の内面７１と当接する。
【００４７】
図７、図１１、及び図１２に示すように、好ましくは、第２本体部２０の中央部１１１は、第２本体部２０の中央部１１１がブリッジ部材１１の第１及び第２境界フランジ１７の内面７１に接合するように寸法決めされ、ブリッジコネクタ１９の中央部１１１とブリッジ部材１１の第１及び第２境界フランジ１７との機械的な係合によって、垂直軸に沿ったブリッジコネクタ１９のブリッジ部材１１に対する回転移動が制限される。
【００４８】
図７、図１１、及び図１２に示すように、第２本体部２０の中央部１１１の略平面状の第１の部分１１７は、好ましくは、水平ブリッジ部材１１の第１境界フランジ１７の内面７１の略平面状の部分に合わせて寸法決めされる。好ましくは、第２本体部２０の中央部１１１の略平面状の第２の部分１１７は、水平ブリッジ部材１１の第２境界フランジ１７の内面７１の略平面状の部分に合わせて寸法決めされる。
【００４９】
図７、図１１、及び図１２に示すように、第２本体部２０の中央部１１１は、好ましくは、水平ブリッジ部材１１における中間ウェブ１２の内面１５、第１境界フランジ１７の内面７１、及び第２境界フランジ１７の内面７１に隣接する部分に合わせて寸法決めされる。
【００５０】
好ましくは、第２本体部２０の中央部１１１は、中央ウェブ部１１２と、第１境界延伸部１１７と、第２境界１１３に連結する第２境界延伸部１１７と、を有する。中央ウェブ部１１２は、好ましくは、第１境界１１３と、第２境界１１３と、内面１１５と、外面１１６と、を有する。好ましくは、第１境界延伸部１１７は、第１境界１１３に対して連結され、第１境界延伸部１１７は内面１１８と外面１１９とを有する。第２境界延伸部１１７は、好ましくは、第２境界１１３に連結され、第２境界延伸部１２０は内面１１８と外面１１９とを有する。好ましくは、第２本体部２０の中央ウェブ部１１２は、第１境界延伸部１１７及び第２境界延伸部１２０に対して角度をなす。
【００５１】
第２本体部２０の中央ウェブ部１１２の内面１１５と第２本体部２０の第１境界延伸部１１７の内面１１８との角度は、好ましくは、直角である。好ましくは、第２本体部２０の中央ウェブ部１１２の内面１１５と第２本体部２０の第２境界延伸部１２０の内面１１８との角度も、直角である。
【００５２】
第２本体部２０の第１境界延伸部１１７は、好ましくは、第１境界１１３から第１連結点１２３に延びる。好ましくは、第２本体部２０の第２境界延伸部１１７は、第２境界１１３から第２連結点１２３に延びる。第２本体部２０は、好ましくは、第１側部延伸部１２４を備え、第１側部延伸部１２４は、第１連結点１２３に連結され、ブリッジ部材１１の第１境界フランジ１７を超えてブリッジコネクタ１９の第１本体部２０の第１側部境界３３まで延びる。好ましくは、第２本体部２０は、第２側部延伸部１２４を備え、第２側部延伸部１２４は、第２連結点１２４に連結され、ブリッジ部材１１の第２境界フランジ１７を超えてブリッジコネクタ１９の第１本体部２０の第２側部境界３３まで延びる。第２本体部２０の第１境界延伸部１１７は、好ましくは、第２本体部２０の第１側部延伸部１２４に対して角度をなす。好ましくは、第２本体部２０の第２境界延伸部１１７は、第２本体部２０の第２側部延伸部１２４に対して角度をなす。
【００５３】
第２本体部２０の第１側部延伸部１２４は、好ましくは、第１内面１２５と第１外面１２６とを有する。好ましくは、第２本体部２０の第２側部延伸部１２６は、第２内面１２５と第２外面１２６とを有する。第２本体部２０の第１境界延伸部１１７の外面１１９と第２本体部２０の第１側部延伸部１２４の外面１２６との角度は、好ましくは、直角である。好ましくは、第２本体部２０の第２境界延伸部１１７の外面１１９と第２本体部２０の第２側部延伸部１２４の外面１２６との角度も、直角である。
【００５４】
図１及び図４に示すように、第１側部フランジ３５は、好ましくは、第２本体部２０の第１側部境界３３に対して取り付けられ、第２側部フランジ３５は、第２本体部２０の第２側部境界３３に対して取り付けられる。好ましくは、第２本体部２０の第１側部フランジ３５は、内面３７と、内面３７の反対側の外面３８とを有する。第２本体部２０の第２側部フランジ３５は、好ましくは、内面３７と、内面３７の反対側の外面３８とを有する。好ましくは、ブリッジコネクタ２の第２本体部２０の第１側部フランジ３５は、ブリッジ部材１１の第１境界フランジ１７に対して接合する。ブリッジコネクタ２の第２本体部２０の第２側部フランジ３５は、好ましくは、ブリッジ部材１１の第２境界フランジ１７に対して接合する。好ましくは、ブリッジコネクタ２の第２本体部２０の第１側部フランジ３５及びブリッジ部材１１の第１境界フランジ１７は、少なくとも部分的に非平行である。ブリッジコネクタ２の第２本体部２０の第２側部フランジ３５及びブリッジ部材１１の第２境界フランジ１７も、好ましくは、少なくとも部分的に非平行である。
【００５５】
図７、図１１、及び図１２に示すように、好ましくは、第２本体部２０の中央ウェブ部１１２の外面１１６は、ブリッジ部材１１の中間ウェブ１２の内面１５に隣接する。第２本体部２０の第１境界延伸部１１７の外面１１９は、好ましくは、ブリッジ部材１１の第１境界フランジ１７の内面１７１に隣接する。好ましくは、第２本体部２０の第２境界延伸部１２０の外面１１９は、ブリッジ部材１１の第２境界フランジ１７の内面１８１に隣接する。
【００５６】
図７、図１１、及び図１２に示すように、ブリッジコネクタ１９の第１本体部２０の中央ウェブ部１１２は、好ましくは、第１締結開口部８２を中心に置く第１締結隆起部１２７を備える。好ましくは、第１締結開口部８２は、ブリッジ部材１１の中間ウェブ１２に当接しない。
【００５７】
図７、図１１、及び図１２に示すように、好ましくは、１つの締め具８１のみによって、ブリッジ部材１１に対してブリッジコネクタ１９が締結され、１つの締め具８１は、第１締結隆起部１２７における締結開口部８２に挿入される。
【００５８】
又は、図１、図５、及び図６に示すように、第２本体部２０の中央ウェブ部１１２の内面１１５は、好ましくは、ブリッジ部材１１の中間ウェブ１２の外面１６に対向する。ブリッジコネクタ１９の第２本体部２０における第１境界延伸部１１７と第２本体部２０における第１側部延伸部１２４との第１連結点１２３は、ブリッジ部材１１の中間ウェブ１２の第１境界１３に隣接する。好ましくは、ブリッジコネクタ１９の第２本体部２０における第２境界延伸部１１７と第２本体部２０における第２側部延伸部１２４との第２連結点１２３は、ブリッジ部材１１の中間ウェブ１２の第２境界１３に隣接する。
【００５９】
図１、図５、及び図６に示すように、ブリッジコネクタ１９の第１本体部２０の中央ウェブ部１１２は、好ましくは、ブリッジ部材１１の中間ウェブ１２の外面１６に当接する第１締結隆起部１２７を備える。
【００６０】
図１、図５、及び図６に示すように、好ましくは、１つの締め具８１のみによって、ブリッジ部材１１に対してブリッジコネクタ１９が締結され、１つの締め具８１は、第１締結隆起部１２７における締結開口部８２に挿入される。ブリッジコネクタ１９の締結隆起部１２７は、好ましくは、ブリッジ部材の中間ウェブ１２の外面１６に当接する。
【図１】
0006404321.tif 000002
【図２】
0006404321.tif 000003
【図３】
0006404321.tif 000004
【図４】
0006404321.tif 000005
【図５】
0006404321.tif 000006
【図６】
0006404321.tif 000007
【図７】
0006404321.tif 000008
【図８】
0006404321.tif 000009
【図９】
0006404321.tif 000010
【図１０】
0006404321.tif 000011
【図１１】
0006404321.tif 000012
【図１２】
0006404321.tif 000013
【図１３】
0006404321.tif 000014
【図１４】
0006404321.tif 000015
【図１５】
0006404321.tif 000016
【図１６】
0006404321.tif 000017
【図１７】
0006404321.tif 000018
【図１８】
0006404321.tif 000019
【図１９】
0006404321.tif 000020